(57)【要約】放水口は、壁取付型または給水栓型の取付器具本体（１０）から層流流体を供給することができる。取付器具本体（１０）は、空洞（３０）と、配管供給栓（２８）を接続するためのポート（２６）を画成する。カートリッジ組立体（１４）が本体空洞（３０）内に置かれる。カートリッジ（１４）は、ポート（２６）と流体連通する注入口開口（４２）と注出口開口（５６）が設けられた筐体（３２）を有する。カートリッジ筐体（１４）は、注入口開口（４２）と注出口開口（５６）との間に複数の素子（４６、４８、５０、５２）を含み、カートリッジ組立体（１４）を通過する流体の流れを滑らかにする。カートリッジの注出口開口に隣接して位置付けられるノズル（１６）は、鋭いエッジを有するオリフィス（８２）を含み、このオリフィスを介して取付器具本体から出る流体は、１つの層流ストリームとして放出されることが可能である。ノズル（１６）は、使用のために取付器具本体（１０）が取り付けられた後に、取付器具本体（１０）から外すことが可能であり、それにより、全ての流れ平滑化素子（４６、４８、５０、５２）を、空洞８３０）からカートリッジ組立体（１４）を取外すことによって、一度に取外すことができる。
2004528958.tif 000002
【特許請求の範囲】
【請求項１】
開放端を有する空洞と、上記空洞につながり且つ配管供給線に接続可能なポートを画成する取付器具本体と、
上記本体空洞内に着脱可能に配置され、上記取付器具本体内の上記ポートと流体連通する注入口開口と注出口開口を有する筐体を有し、上記筐体は、上記注入口開口と上記注出口開口との間に位置付けられる、カートリッジ内を通過する流体の流れを層流にする複数の素子を含む、カートリッジと、
上記カートリッジの上記注出口開口に隣接して位置付けられ、放水口から出る流体がストリーム状に放出されることを可能にするオリフィスを有するノズルと、を含む放水口。
【請求項２】
上記筐体は、
開放端を有する筐体と、
上記筐体の上記開放端に隣接して係合可能な蓋と、を含む請求項２記載の放水口。
【請求項３】
上記注入口開口は、上記筐体の上記蓋とは反対側の後部壁の凹部に位置付けられ、
上記注出口開口は、上記蓋内に位置付けられる請求項２記載の放水口。
【請求項４】
上記凹部の中に置かれる圧力補正流量調整器を更に含む請求項３記載の放水口。
【請求項５】
上記複数の素子は、スクリーン、及び、フォームフィルタから構成される群から選択される請求項１記載の放水口。
【請求項６】
上記カートリッジ内において、スクリーンは、フォームフィルタとリングスペーサとの間に置かれる請求項５記載の放水口。
【請求項７】
上記取付器具本体は、
閉じられた一端と、
上記放水口を、壁を介して取り付ける際に、壁を締め付けるのを支援する円周フランジを有する、上記閉じられた一端とは反対側の開放端を有するカップ型の部材である請求項１記載の放水口。
【請求項８】
上記ポートは、ラジアル壁に置かれる請求項７記載の放水口。
【請求項９】
上記カートリッジの半径方向で外側において上記取付器具本体に入れ子式に嵌り込むフランジ付きスリーブを更に含む請求項１記載の放水口。
【請求項１０】
上記取付器具本体は、部分的に空洞を画成する突出ステムを有する給水栓であり、
上記ノズルは、上記ステムに係合される請求項１記載の放水口。
【請求項１１】
請求項１記載の放水口に用いるのに適したカートリッジであって、
一端に隣接する注入口開口と、他端に隣接する注出口開口を有する筐体を有し、
上記筐体は、上記注入口開口と上記注出口開口との間に位置付けられる、上記カートリッジ内を通過する流体の流れを層流にする複数の素子を含む、カートリッジ。
【発明の詳細な説明】
【技術分野】
【０００１】
本発明は、配管取付器具に係り、より詳細には、層流流体のストリームを供給する放水口に係る。
【背景技術】
【０００２】
水の層流で流れるストリームを供給する配管取付器具は、以前に説明されている。例えば、米国特許第３，７３０，４４０号、第３，８５１，８２５号、第４，１１９，２７６号、第４，６５７，１８６号、第４，７３０，７８６号、第４，７９５，０９２号、第５，１６０，０８６号、第５，２１３，２６０号、及び、第５，２４２，１１９号を参照されたい。本願で使用する層流とは、略変動しない局所速度及び圧力を有して乱流がなく、その結果、得られるストリームは、ロッドのような外観を有する流体の流れを意味する。このような層流は、外に出てゆくストリームが一般的に透明なガラスのロッドに見えるので、装飾上の目的に求められる。
【０００３】
供給水は、一般的に、好適なノズルオリフィスを通って出る前に、一連の流れ平滑化素子に供給される。流れ平滑化素子は、通常、穴があけられた円盤、スクリーン、及び、フィルタであり、これらは、供給水接続から下流側に直列に配置される。流れ平滑化素子は、流速を変更し、必要に応じて速度分布を再分配して、乱流を層流に変換する。
【０００４】
既存の取付器具の１つの問題は、スクリーン、フィルタ、及び、穴が開けられた円盤に開けられた小さな開口は、時間の経過と共に、供給水中の鉱物の堆積物及び砂利が積層することによりつまってしまうことである。これにより、流れが細くなり及び／又は流れが層流ではなくなってしまう。これをなおすためには、詰まった素子を取付器具から定期的に取外して、洗浄又は交換する必要がある。
【０００５】
一般的に、流れ平滑化素子は、取付器具内に別個に組付けられており、従って、流れ平滑化素子を取外すには、比較的小さな素子を１つずつ分解しなければならない。そして、洗浄又は交換された後、各素子は、最初の順番通りに組立てし、適切な流れの特性を与えるようにされなければならない。この作業は厄介であり、間違いを犯し易く、手先の器用さを必要とし、また、（少なくとも）一部の顧客の技術レベルを超えている場合がある（従って、専門的な配管のサポートが必要となる）。この作業は、流れ平滑化素子が、永久壁を壊すことなく室内からアクセス可能ではない場合、一層面倒になる。
【発明の開示】
【発明が解決しようとする課題】
【０００６】
従って、流れ平滑化素子をより容易に洗浄し、保守し、又は、交換することができる改善された放水口が必要である。
【課題を解決するための手段】
【０００７】
本発明の１つの面では、開放端を有する空洞と、その空洞につながり且つ配管供給栓に接続可能なポートを画成する取付器具本体を有する放水口を提供する。カートリッジは、取付器具本体の空洞内に着脱可能に置かれ、取付器具本体内のポートと流体連通する注入口開口と、注出口開口を有する筐体を有する。筐体は、注入口開口と注出口開口との間に位置付けられる、カートリッジ内を通過する流体の流れを層流にする複数の素子を含む。ノズルは、カートリッジの注出口開口に隣接して位置付けられ、且つ、放水口から出る流体がストリーム状に放出されることを可能にするオリフィスを有する。
【０００８】
好適な形態では、筐体は、開放端を有する筐体であり、蓋は、筐体の開放端に隣接して係合可能である。注入口開口は、筐体の蓋とは反対側の後部壁の凹部に位置付けられ、注出口開口は、蓋内に位置付けられる。圧力補正流量調整器は、凹部の中に置かれる。
【０００９】
本発明の他の形態では、複数の流れ平滑化素子は、スクリーン及びフォームフィルタから構成される群から選択される。スクリーンは、カートリッジ内において、フォームフィルタとリングスペーサの間に置かれる。
【００１０】
更に別の変形では、取付器具本体は、閉じられた一端と、放水口を、壁を介して取り付ける際に、壁を締め付けるのを支援する円周フランジを有する、閉じられた一端とは反対側の開放端を有するカップ型の部材である。ポートはラジアル壁に置かれ、フランジ付きクランプスリーブは、カートリッジの半径方向で外側において本体に入れ子式に嵌り込む。後者の特徴は、組立体が、異なる厚さを有する壁に対し容易に調節されることを可能にする。
【００１１】
更に別の変形では、取付器具本体は、部分的に空洞を画成する突出ステムを有する給水栓である。ノズルがステムに係合する。
【００１２】
本発明の別の面は、流れ平滑化素子を含む交換可能なカートリッジを提供する。このような交換可能なカートリッジは、立水栓体、又は、垂直壁に取付可能な筐体内に用いることが可能である。
【発明の効果】
【００１３】
従って、本発明は、水の層流ストリームを供給することのできる配管取付器具を提供する。小型で、容易に交換可能なカートリッジが、全ての必要な流れ平滑化素子及び圧力調整素子を含み、それにより、取付器具からそれらの素子を、（洗浄、保守、又は、交換のために）一度に取外すことができる。更に、本発明の筐体は、壁の後ろ側にアクセスする必要なく、カートリッジにアクセスすることを容易にするよう設計される。
【００１４】
本発明の上述した利点及び他の利点は、以下の説明から明らかになろう。以下の説明において、本願の一部を形成し、本発明の好適な実施例を例示的に示す添付図面を参照する。これらの実施例は、本発明の全ての範囲を示すものではない。従って、本発明の完全な範囲を判断するためには、特許請求の範囲を検討されたい。
【発明を実施するための最良の形態】
【００１５】
最初に、図１及び図２を参照するに、壁に取付け可能な配管取付器具１０は、その主要な構成要素として、後部取付器具本体１２、層流カートリッジ１４、前部ノズル１６、及び装飾エスカチオン１８を含む。取付器具本体１２は、略円筒のカップ型をしており、黄銅から形成されることが好適である。後部取付器具本体１２は、後部基部２０、管状壁２２、及び、前端フランジ２４を含む。管状壁２２は、給水線２８を接続可能なラジアルポート２６を有する。取付器具本体１２は、カートリッジ１４を収容するための空洞３０を有する。
【００１６】
次に、図３を参照するに、層流カートリッジ１４は、基部３４と、チャンバ３８を囲む円筒壁３６を有する略円筒状の外部筐体３２を有する。基部３４は、小さな中心注入口開口４２を有する円形の後方に開いている凹部４０を有する。例えば、コネチカット州ウォータベリのネオパール（Ｎｅｏｐｅｒｌ）社から市販されるような円盤型の圧力補正流量調整器４４が、凹部４０に圧入される。
【００１７】
この調整器は、水圧が増加するにつれて、中心注入口の容積を小さくするよう収縮するタイプのものである。これにより、調整器を通る流量の容積が比較的一定に保たれる。流量調整器４４は、１２−１４５ｐｓｉ（０．８−１０ｂａｒ）の動作圧力範囲を有することが好適である。
【００１８】
筐体３２は、例えば、ポリフェニレン・サルファイド樹脂及びポリスチレン樹脂の混合物であるノーリル（ＮＯＲＹＬ）（ジェネラルエレクトリック社の商標）といったプラスチックから形成されることが好適である。筐体３２は、約２インチの内径を有し、流れ平滑化素子の外径は、それより僅かに小さい。筐体３２の外径は、２インチよりも少し大きいことが可能であり、全体の長さは、３インチを少し越えただけである。
【００１９】
筐体チャンバ３８は、一連の円形又は円筒形の流れ平滑化部材を含む。特に、流れ平滑化部材は、フィルタ４６、４つのスクリーン４８、及び、２つのリングスペーサ５０、５２を含む。フィルタ４６は、１インチあたり約４５個の穴を有することのできる穴寸法を有する網状のポリウレタン発泡体の円盤から形成されることが好適である。連続気泡フォームフィルタの詳細は、米国特許第４，７９５，０９２号を参照されたい。
【００２０】
スクリーン４８は、２０×２０のステンレススチールメッシュから形成されることが好適である。リングスペーサ５０、５２は、ノーリル（Ｒ）であることが好適であり、それぞれ長さが０．６５インチ及び０．２０インチであることが好適である。流れ平滑化部材は、図３及び図４に示す順番で、チャンバ３８内に直列に配置されることが可能である。即ち、フィルタ４６の両側に１つのスクリーン４８があり、次に、リングスペーサ５０と、第３のスクリーン４８、円盤５２が続き、最後に第４のスクリーン４８が続く。これらの素子は、筐体３２の開放端に、ネジスジ又は超音波溶接といった好適な手段によってはめ込まれるノーリル（Ｒ）蓋５４によってまとめられる。蓋５４は、原則的に、２つの異なる内径を画成するよう階段状の断面を有するリングであり、小さいほうの内径が、筐体３２の端に入る。蓋５４は、大きい、全幅の注出口開口５６を有する。
【００２１】
図１及び図２を再び参照するに、取付器具本体１２の内径より僅かに小さい外径を有する円筒状の黄銅のスリーブ５８は、カートリッジ１４の１つの端の周りで取付器具本体の空洞３０の中に入れ子式に嵌り込む。スリーブ５８の内端には、スリーブ５８と取付器具本体１２との間に水密性の円周シールを形成するＯリング６２を含む円周溝６０がある。このシールは、スリーブ５８が取付器具本体１２に対し軸方向にスライドされる間維持することができる。
【００２２】
スリーブ５８のもう一方の端は、取付器具１０を壁の開口に凹部取付け（ｒｅｃｅｓｓ  ｍｏｕｎｔｉｎｇ）する際に、壁の露出面に接触する円形フランジ６４を有する。スリーブ５８は、本体１２に対し軸方向にスライドすることが可能であり、それにより、異なる寸法の部屋の壁をこのフランジ６４と取付器具本体１２の端フランジ２４との間に挟むことが可能となる。ネジ留め具（図示せず）が、各フランジ８８、２４、６４に形成される開口６６及び６８に入れられ、それにより部屋の壁を締め付ける。留め具は、取付器具１０を異なる厚さの部屋の壁に固定するために、必要に応じて締めたり緩めたりすることができる。
【００２３】
例えば、設置の際に緩く留め具を締め、次に、最終的な壁板が差し込められたときにしっかりと留め具を締めることができる。その後、最終的に壁に対応するための調整は、スリーブ５８を軸方向にスライドすることによって達成される。
【００２４】
ノズル１６は、２つの外径７０及び７２を画成する階段状の外壁を有する黄銅で形成される環状体であることが好適である。外径にはそれぞれ、Ｏリング７８及び８０を含む円周溝７４及び７６がある。外径７０は、注出口開口５６内に嵌るような寸法にされ、Ｏリング７８が水密性のシールを与える。外径７２は、水密性のシールを与えるようＯリング８０がスリーブ５８の内径と合うような寸法にされる。
【００２５】
カートリッジ１４から離れるにつれてテーパして鋭いエッジ８４となるフラストコニカル（ｆｒｕｓｔｏｃｏｎｉｃａｌ）状の凹部型のオリフィス８２が設けられる。ノズル１６のもう１つの端は、同軸上にある階段状の内径を有し、大きいほうの内径は、内側ネジ山８６を有する。ノズル１６のこの端は更にフランジ８８を含み、このフランジ８８は、ノズル１６を定位置に固定するためにスリーブフランジ６４に形成される開口６８と一直線に並べられるネジ切りされた開口９０を有する。
【００２６】
エスカチオン１８は、装飾的で、磨かれた黄銅からなる環状のフランジ部材であることが好適である。この部材は、スリーブ５８とノズル１６より大きい外径を有する前端を有する。エスカチオン１８の内端は、Ｏリング９４を含み、そのＯリングがノズル１６の小さい方の内径に接して水密性のシールを与えるような寸法にされる円周溝９２を有する外径と、ノズル１６にネジ込められる、大きいネジ切りされた外径部１００を有する。エスカチオン１８の内端における内径は、オリフィスのエッジ８４より僅かに大きく、また、前端における外径につながるよう滑らかにテーパする。
【００２７】
給水線２８が、取付器具１０に接続されると、水は、取付器具本体の空洞３０内を軸方向に流れ、流量調整器４４に沿って戻り、流量調整器４４の中に向かって軸方向に流れ、次に、注入口開口４２を通ってカートリッジ１４内に入る。
【００２８】
上述したように、流量調整器４４は、流速における変動に応じて作用し、注入口開口４２の通過可能寸法を調整し、それにより、カートリッジ１４内に比較的一定の流速を与える。流れ平滑化素子（フィルタ、スクリーン）とスペーサは、注入口開口４２を通り、カートリッジ筐体３２の内径全体に亘って流れる水の速度分布をより一層均等に分配し、実質的に乱流及びエアポケットを除去するよう選択且つ構成される。
【００２９】
特に、注入口開口４２を流れる水は、かなり大きい直径を有するチャンバ３８内に入る。この断面における急激な拡がりは、水の流速を下げることを目的とする。水が、フィルタ４６の穴を通過するにつれて、（乱流を引き起こす）非軸方向の速度ベクトルは発泡体材料によって妨害され、それにより、フィルタ４６から出てくる水は、軸方向に向けられた速度ベクトルを有する。水が、一連のスクリーン４８を通過するにつれて、速度分布は平坦化され、それにより、流れの断面の中心から端に向けて略均等な流れがあるようになる。スペーサ５０及び５２は、スクリーン４８を離してスクリーン４８が段階的に作用するようにさせ、それにより、水が次のスクリーン４８に入る前に回復することを可能にする。
【００３０】
水は、ノズル８２を介してカートリッジ１４を出る。鋭いエッジ８４は、少しの側方散布又は側方散布の全くない層流状の水の１つの流れを形成するよう十分な分離を与える。放出される流れは、透明で滑らかであり、面白いことに、ガラスのロッドに似る。
【００３１】
所定の保守のために（例えば、時間の経過に伴う水中のカルシウム又は他の鉱物の堆積、又は、砂利の存在によってストリームの流れの状態が変化したとき）、全ての流れ平滑化素子は、カートリッジ１４を外すことによって、洗浄又は交換のために、取付器具本体１２から一度に迅速且つ容易に取外すことが可能である。このことは、壁の後部にアクセスすることなく達成することが可能である。
【００３２】
エスカチオン１８が、ノズル１４から外され、フランジ８８、６４、及び２４におけるネジ留め具が外され、それにより、ノズル１６及びスリーブ５８を引抜いた後に、カートリッジ１４をチャンバ３８から取外すことが可能となる。流れ平滑化素子及び流量調整器は、好適な溶液で洗浄することができる。又は、カートリッジ１４は、単純に、新しいカートリッジと交換することができる。いずれの場合においても、スリーブ５８は、フランジ６４が露出した壁面に接触するまでチャンバ３８内に挿入することができる。次に、洗浄された又は新しいカートリッジ１４を、それぞれの円周捕捉面１０３及び１０５が係合するまでスリーブ５８内に挿入することができ、次に、オリフィス８２が注出口開口５６に着座するまで、ノズル１６をスリーブ５８内に挿入することができる。ネジ留め具、その後に、エスカチオン１８が、再び締められる。
【００３３】
図５及び図６は、代替の給水栓の実施例を示す。この実施例において、同様の素子は、添え字「Ａ」を付けた同様の参照番号を用いて図示する。配管取付器具１０Ａは、黄銅から形成される給水栓本体１２Ａを含み、この給水栓本体は、従来の流量制御弁１０２を支持する。この弁によって水が混ぜ合わされ及び／又は容積が制御された後、水は、通路１０７内に流される。
【００３４】
給水栓本体１２Ａは更に、層流カートリッジ組立体１４Ａを含むための受容空洞３０Ａを画成する放水ステム１０４を含む。この空洞３０Ａの基部は、コンジット１０７に接続されるポート２６Ａを有する。
【００３５】
カートリッジ１４Ａは、上述したように、その内部を流れる水の流れを滑らかにし、上述したような同一の材料から形成される同一の構成要素を含む。ただし、僅かに小さな尺度で形成されることが好適である。１つの好適な形態では、カートリッジ筐体３２Ａは、約０．９インチの外径を有し、また、１．５インチ弱の全長を有する。流れ平滑化素子（フィルタ４６Ａ、スクリーン４８Ａ、及び、スペーサ５０Ａ及び５２Ａ）及び流量調整器４４Ａは、比例して小さくされる。更に、上述したカートリッジとは異なり、筐体３２Ａは、その外径に沿ってＯリング１０８を含むための円周溝１０６を含み、このＯリング１０８は、空洞３０Ａの基部の近くで空洞３０Ａの内壁と合わされる。
【００３６】
放水ステム１０４は更に、空洞３０Ａの開放端において内部のネジ山１０８を有する。ネジ山１０８には、ノズル１６Ａのネジ切りされた端１１０が係合する。ノズル１６Ａは、テーパ状にされた鋭いエッジを有するオリフィス８２Ａを１つの端を有する、コップが逆にされた形状の部材である。図５及び図６に示すように、放水ステム１０４は、放出されるストリームが弧状の軌道を形成するよう上方向に角度が付けられる。ここでは、水は、軸方向に入るが、それ以外は、カートリッジの動作は同様である。
【００３７】
従って、本発明は、様々な配管環境において水の層流ストリームを形成するのに好適な放水口を提供する。コンパクトなカートリッジが、全ての流れ平滑化素子及び圧力調整素子を含むので、これらの素子は、洗浄、保守、又は、交換のために、取付器具からひとまとめに取外すことができる。カートリッジは、ノズル（適用可能な場合には、エスカチオン）を緩めて取外すことによって、部屋の中において取付器具の端から容易に取外すことが可能である。
【００３８】
特定の実施例を示したが、当業者には、本発明の範囲内の様々な変更が明らかであろう。従って、特許請求の範囲は、本発明の全範囲を理解するために考察されるべきである。
【産業上の利用可用性】
【００３９】
層流を供給し、且つ、一体式の交換可能なカートリッジを有する放水口を開示する。
【図面の簡単な説明】
【００４０】
【図１】本発明の壁取付け型の放水口を示す垂直断面図である。
【図２】後部の取付器具本体が９０°回転され、カートリッジはその全体が示される本発明の放水口を示す分解図である。
【図３】図２の線３−３についての垂直断面図である。
【図４】図３に示すカートリッジを示す部分断面分解図である。
【図５】水平面に取付け可能な給水栓放水口の代替の実施例を示す垂直断面側面図である。
【図６】図５に示す給水栓を示す分解側面図である。
【国際公開パンフレット】
2004528958.tif 000003
2004528958.tif 000004
2004528958.tif 000005
2004528958.tif 000006
2004528958.tif 000007
2004528958.tif 000008
2004528958.tif 000009
2004528958.tif 000010
2004528958.tif 000011
2004528958.tif 000012
2004528958.tif 000013
2004528958.tif 000014
2004528958.tif 000015
2004528958.tif 000016
2004528958.tif 000017
2004528958.tif 000018
【手続補正書】
【提出日】平成15年2月24日(2003.2.24)
【手続補正１】
【補正対象書類名】特許請求の範囲
【補正対象項目名】全文
【補正方法】変更
【補正の内容】
【特許請求の範囲】
【請求項１】
開放端を有する空洞と、上記空洞につながり且つ配管供給線に接続可能なポートを画成する取付器具本体と、
上記本体空洞内に着脱可能に配置され、且つ、注入口開口と注出口開口を有する筐体を有し、上記注入口開口は上記取付器具本体内の上記ポートと流体連通し、上記筐体は上記注入口開口と上記注出口開口との間に位置付けられる、カートリッジ内を通過する流体の流れを層流にする複数の素子を含む、カートリッジと、
上記筐体の上記注出口開口に隣接して位置付けられ、放水口から出る流体がストリーム状に放出することを可能にするオリフィスを有するノズルと、
上記カートリッジの半径方向で外側において上記本体に入れ子式に嵌り込むフランジ付きスリーブと、を含む放水口。
【請求項２】
上記筐体は、上記注出口開口におけるリング型の蓋を含む請求項１記載の放水口。
【請求項３】
上記注入口開口は、上記蓋とは反対側の上記筐体の後部壁の凹部に位置付けられ、
上記注出口開口は、上記蓋内に位置付けられる請求項２記載の放水口。
【請求項４】
上記凹部の中に置かれる圧力補正流量調整器を更に含む請求項３記載の放水口。
【請求項５】
上記複数の素子は、少なくとも１つのスクリーン及びフォームフィルタを含む請求項１記載の放水口。
【請求項６】
上記カートリッジ内において、スクリーンは、フォームフィルタとリングスペーサとの間に置かれる請求項５記載の放水口。
【請求項７】
上記取付器具本体は、
閉じられた一端と、
上記放水口を、壁を介して取り付ける際に、壁を締め付けるのを支援する円周フランジを有する、上記閉じられた一端とは反対側の開放端を有するカップ型の部材である請求項１記載の放水口。
【請求項８】
上記ポートは、ラジアル壁に置かれる請求項７記載の放水口。
【請求項９】
開放端を有する空洞と、上記空洞につながり且つ配管供給線に接続可能なポートを画成する取付器具本体と、
上記本体空洞内に着脱可能に配置され、且つ、注入口開口と注出口開口を有する筐体を有し、上記注入口開口は上記取付器具本体内の上記ポートと流体連通し、上記筐体は上記注入口開口と上記注出口開口との間に位置付けられる、カートリッジ内を通過する流体の流れを層流にする複数の素子を含む、カートリッジと、
上記筐体の上記注出口開口に隣接して位置付けられ、放水口から出る流体がストリーム状に放出することを可能にするオリフィスを有するノズルと、を含み、
上記ノズルは、下流方向にテーパする、放水口。
【請求項１０】
上記取付器具本体は、部分的に空洞を画成する突出ステムを有する給水栓であり、
上記ノズルは、上記ステムに係合される請求項９記載の放水口。
【国際調査報告】
2004528958.tif 000019